(57)【特許請求の範囲】
【請求項１】
建物内部の各室に設置されている、温度および湿度の情報を取得する温湿度情報取得手段と、
前記温湿度情報取得手段によって取得した温度および湿度に基づいて建物内部の各室における快・不快を判定する快適判定手段と、
前記快適判断手段によって不快と判定された室を、居住者に報知し、居住者が取るべき行動をアドバイスするアドバイス手段と、
建物内部の各室の環境を調整可能な室内環境調整手段と、
前記快適判定手段によって不快と判定された室がある場合、不快と判定された室の環境の室内環境調整手段を制御する制御手段と、を備えており、
前記室内環境調整手段は、
前記室内に外部の空気を取り込む外部空気取込手段と、
前記室の天井裏に室内の空気を引き込む空気引込手段と、
前記室内に設けられたエアコンと、を備え、
前記制御手段は、
前記室の天井裏に引き込まれた空気を外部に排気する空気排気手段を制御し、
前記室内の温度を検出する室内温度検出手段と、
前記室の天井付近の温度を検出する上方温度検出手段と、
外気温度を検出する外気温度検出手段と、に接続され、
システムが停止している場合でも待機状態として、前記前記快適判定手段により不快と判定されると、居住者に報知し、居住者が取るべき行動をアドバイスするとともに、
システムが運転している場合は、設定温度をＴｓｅｔとすると、
（１）前記上方温度検出手段によって検出された天井付近の温度が、前記室内温度検出手段によって検出された室内温度より所定温度ｄｔ以上高い場合において、
（１ａ）室内温度≧Ｔsetのとき、前記外部空気取込手段、前記空気引込手段、前記空気排気手段を運転し、前記エアコンを停止し、
（１ｂ）室内温度＜Ｔset かつ 外気温＜Ｔsetのとき、前記空気排気手段と前記外部空気取込手段を運転し、前記空気引込手段と前記エアコンを停止し、
（１ｃ）室内温度＜Ｔset かつ 外気温≧Ｔsetのとき、前記外部空気取込手段、前記空気引込手段、前記空気排気手段、前記エアコンを停止し、
（２）前記上方温度検出手段によって検出された天井付近の温度が、前記室内温度検出手段によって検出された室内温度より所定温度ｄｔ高い温度未満の場合において、
（２ａ）室内温度≧Ｔsetのとき、前記空気排気手段、前記外部空気取込手段、前記空気引込手段を運転し、前記エアコンを停止し、
（２ｂ）室内温度＜Ｔsetのとき、前記空気排気手段、前記外部空気取込手段、前記空気引込手段、前記エアコンを停止する
ことを特徴とする室内環境調整システム。
【請求項２】
請求項１に記載の室内環境調整システムにおいて、
居住者の体温を検知する生体情報検知手段をさらに備えることを特徴とする室内環境調整システム。
【請求項３】
請求項１に記載の室内環境調整システムにおいて、
前記室内環境調整手段は、高温多湿の室の環境調整を行うように設定されていることを特徴とする室内環境調整システム。
【請求項４】
請求項１〜３のいずれか一項に記載の室内環境調整システムにおいて、
前記室内環境調整手段は、居住者がいる室の環境調整を行うように設定されていることを特徴とする室内環境調整システム。
【請求項５】
請求項１〜４のいずれか一項に記載の室内環境調整システムにおいて、
前記温湿度情報取得手段は、建物内部の温度および湿度の情報を、断続的に取得するように設定されていることを特徴とする室内環境調整システム。
【発明の詳細な説明】
【技術分野】
【０００１】
本発明は、室内環境調整システムに関する。
【背景技術】
【０００２】
トップライト（天窓）と、このトップライトの下方に設けられたシーリングファンを備えた空調設備の一例として、特許文献１に記載のものが知られている。
この空調設備では、室内温度と外気温とによって、シーリングファンの運転と天窓の開閉とを例えば以下のようにして制御している。
すなわち、設定温度をＴ℃とすると、
室内の上下の温度差がＴＤ℃以上の場合において、
室内温度≧Ｔ℃のとき、前記シーリングファンを運転するとともに前記天窓を開放し、
室内温度＜Ｔ℃かつ 外気温＜Ｔ℃のとき、前記シーリングファンを停止するとともに前記天窓を開放し、
室内温度＜Ｔ℃かつ 外気温≧Ｔ℃のとき、前記シーリングファンを停止するとともに前記天窓を閉鎖し、
室内の上下の温度差がＴＤ℃未満の場合において、
室内温度≧Ｔ℃のとき、前記シーリングファンを運転するとともに前記天窓を開放し、
室内温度＜Ｔ℃のとき、前記シーリングファンを停止するとともに前記天窓を閉鎖している。
【先行技術文献】
【特許文献】
【０００３】
【特許文献１】特開２００６−３４９３１８号公報
【発明の概要】
【発明が解決しようとする課題】
【０００４】
ところで、上記のような空調設備の制御では、住宅内全体の空調を前提としているため、住宅内の各室それぞれの空調を個別に制御できないという問題があった。また、各室が不快であるか否かの判定をし、不快な室毎の室内環境を調整することができず、更に、不快である室がある場合に居住者が取るべき行動をアドバイスすることができないという問題があった。
【０００５】
本発明は上記事情に鑑みてなされたもので、住宅内の各室それぞれの空調を個別に制御し、不快な室がある場合に、不快な室毎の室内環境を調整し、居住者が取るべき行動をアドバイスすることができる室内環境調整システムを提供することを課題としている。
【課題を解決するための手段】
【０００６】
上記課題を解決するために、請求項１に記載の発明は、例えば図１〜図５に示すように、室内環境調整システム２００において、
建物内部の各室１，２，３に設置されている、温度および湿度の情報を取得する温湿度情報取得手段１２，１７と、
前記温湿度情報取得手段によって取得した温度および湿度に基づいて建物内部の各室における快・不快を判定する快適判定手段１０と、
前記快適判断手段１０によって不快と判定された室１，２，３を、居住者に報知し、居住者が取るべき行動をアドバイスするアドバイス手段１０，２０と、
建物内部の各室１，２，３の室内環境を調整可能な室内環境調整手段２１と、
前記快適判定手段１０によって不快と判定された室１，２，３がある場合、不快と判定された室１，２，３の環境の室内環境調整手段２１を制御する制御手段１０と、を備えており、
前記室内環境調整手段２１は、
前記室１，２，３内に外部の空気を取り込む外部空気取込手段５と、
前記室１，２，３の天井裏に室内の空気を引き込む空気引込手段６と、
前記室１，２，３内に設けられたエアコン８と、を備え、
前記制御手段１０は、
前記室１，２，３の天井裏に引き込まれた空気を外部に排気する空気排気手段７を制御し、
前記室１，２，３内の温度を検出する室内温度検出手段１１と、
前記室１，２，３の天井付近の温度を検出する上方温度検出手段１２と、
外気温度を検出する外気温度検出手段１３と、に接続され、
システムが停止している場合でも待機状態として、前記前記快適判定手段により不快と判定されると、居住者に報知し、居住者が取るべき行動をアドバイスするとともに、
システムが運転している場合は、設定温度をＴｓｅｔとすると、
（１）前記上方温度検出手段１２によって検出された天井付近の温度が、前記室内温度検出手段１１によって検出された室内温度より所定温度ｄｔ以上高い場合において、
（１ａ）室内温度≧Ｔsetのとき、前記外部空気取込手段５、前記空気引込手段６、前記空気排気手段７を運転し、前記エアコン８を停止し、
（１ｂ）室内温度＜Ｔset かつ 外気温＜Ｔsetのとき、前記空気排気手段７と前記外部空気取込手段５を運転し、前記空気引込手段６と前記エアコン８を停止し、
（１ｃ）室内温度＜Ｔset かつ 外気温≧Ｔsetのとき、前記外部空気取込手段５、前記空気引込手段６、前記空気排気手段７、前記エアコン８を停止し、
（２）前記上方温度検出手段１２によって検出された天井付近の温度が、前記室内温度検出手段１１によって検出された室内温度より所定温度ｄｔ高い温度未満の場合において、
（２ａ）室内温度≧Ｔsetのとき、前記空気排気手段７、前記外部空気取込手段５、前記空気引込手段６を運転し、前記エアコン８を停止し、
（２ｂ）室内温度＜Ｔsetのとき、前記空気排気手段７、前記外部空気取込手段５、前記空気引込手段６、前記エアコン８を停止する
ことを特徴とする。
【０００７】
請求項１に記載の発明によれば、前記快適判断手段１０によって不快と判定された室を、居住者に報知し、居住者が取るべき行動をアドバイスするアドバイス手段１０，２０を備えるので、居住者が取るべき行動を居住者にアドバイスをできる一方で、前記快適判定手段１０によって不快と判定された室１，２，３がある場合、不快と判定された室１，２，３の環境の室内環境調整手段２１を制御する制御手段１０を備えるので、建物内部の不快な室１，２，３の環境を調整することができる。
したがって、例えば、不快と判断された室１，２，３があれば、居住者に対して、熱中症の危険性を報知でき、熱中症にならないために取るべき行動をアドバイスできるので、居住者が熱中症になることを防止できる。
さらに、室内環境調整手段２１によって不快と判定された室１，２，３の環境を各室１，２，３毎に調整できるので、居住者が熱中症にならないようにするのはもとより、より快適な環境を形成することができる。
しかも、室内の温度、室の天井付近の温度、外気温度に基づいて、空気排気手段７、外部空気取込手段５、空気引込手段６、エアコン８を制御しているので、エアコン８が消費する電力を削減することができる。
【０００８】
請求項２に記載の発明は、
請求項１に記載の室内環境調整システム２００において、
居住者の体温を検知する生体情報検知手段３０をさらに備えることを特徴とする。
【０００９】
請求項２に記載の発明によれば、居住者の体温を検知する生体情報検知手段３０をさらに備えるので、居住者の体温を検知することで、より正確なアドバイスを居住者に行うことができる。
【００１０】
請求項３に記載の発明は、
請求項１に記載の室内環境調整システム２００において、
前記室内環境調整手段２１は、高温多湿の室１，２，３の環境調整を行うように設定されていることを特徴とする。
【００１１】
請求項３に記載の発明によれば、前記室内環境調整手段２１は、高温多湿の室１，２，３の環境調整を行うように設定されているので、高温多湿な室１，２，３の環境調整を行うことで、より確実に熱中症の発生を抑制できる。
【００１２】
請求項４に記載の発明は、
請求項１〜３のいずれか一項に記載の室内環境調整システム２００において、
前記室内環境調整手段２１は、居住者がいる室の環境調整を行うように設定されていることを特徴とする。
【００１３】
請求項４に記載の発明によれば、前記室内環境調整手段２１は、居住者がいる室１，２，３の環境調整を行うように設定されているので、居住者がいる室１，２，３を狙って環境調整を行うことで、より確実に熱中症の発生を抑制できる。
【００１４】
請求項５に記載の発明は、
請求項１〜４のいずれか一項に記載の室内環境調整システムにおいて、
前記温湿度情報取得手段１２，１７は、建物内部の各室１，２，３の温度および湿度の情報を、断続的に取得するように設定されていることを特徴とする。
【００１５】
請求項５に記載の発明によれば、温度および湿度を断続的に取得するので、刻々と変化する建物内部の各室１，２，３の環境を確実に把握でき、より確実に熱中症の発生を抑制できる。
【発明の効果】
【００１６】
本発明によれば、前記快適判断手段によって不快と判定された室を、居住者に報知し、居住者が取るべき行動をアドバイスするアドバイス手段を備えるので、居住者が取るべき行動を居住者にアドバイスをできる一方で、前記快適判定手段によって不快と判定された室がある場合、不快と判定された室の環境の室内環境調整手段を制御する制御手段を備えるので、建物内部の不快な室の環境を調整することができる。
しかも、室内の温度、室の天井付近の温度、外気温度に基づいて、空気排気手段、外部空気取込手段、空気引込手段、エアコンを制御しているので、エアコンが消費する電力を削減することができる。
【図面の簡単な説明】
【００１７】
【図１】本発明に係る室内環境調整システムの一例を示すもので、システムを構成する構成部材をその位置とともに示す概略図である。
【図２】同、システム構成を示すブロック図である。
【図３】同、外部空気取込手段を示す斜視図である。
【図４】同、空調システムのリモコンを示す正面図である。
【図５】同、温度条件による制御状態を示す表である。
【発明を実施するための形態】
【００１８】
以下、図面を参照して本発明に係る室内環境調整システム２００の一例について説明する。
本実施の形態の室内環境調整システム２００は、図１および図２に示すように、住宅の各室１,２,３の室内空調をそれぞれ個別に制御する室内空調システム１００と、居住者の体温、脈などのバイタル情報を検知するウェアラブルセンサを有する生体情報検知手段３０を備えている。室内空調システム１００は、各室１,２,３に、それぞれ外部の空気を取り込む外部空気取込手段５と、室１,２,３のそれぞれの天井裏１ａ,２ａ,３ａに室内の空気を引き込む空気引込手段６と、各室１,２,３の天井裏に引き込まれた空気を外部に排気する空気排気手段７と、室１,２,３のそれぞれに設けられたエアコン８と、温度センサ１２と、湿度センサ１７と、人感センサ１８と、通信手段１９と、音声発生部または表示部などの報知手段２０と、記憶手段２２と、外部空気取込手段５、空気引込手段６、エアコン８を、各室１,２,３ごとに制御するともに空気排気手段７を制御する制御手段１０とを備えている。温度センサ１２と湿度センサ１７とは、本発明の温室度情報取得手段に相当する。また、制御手段１０は、前記温湿度情報取得手段によって断続的に取得した温度および湿度に基づいて建物内部の各室における快・不快を判定する快適判定手段に相当する。
【００１９】
記憶手段２２は、快・不快を判定するための情報（式と閾値）を予め記憶している。例えば、制御手段１０は、快・不快を判定する条件として、室温（T℃）と湿度（H％）とに基づき不快指数を求めて、快・不快を判定する。不快指数（S）を求める式を次に示す。
S＝０．８１Ｔ＋０．０１Ｈ（０．９９Ｔ−１４．３）＋４６．３
【００２０】
制御手段１０は、例えば、不快指数が７５以下のとき快適と判断し、不快指数が７５を超えるとき不快と判断する。記憶手段２２には、上記式と閾値（７５）が予め記憶されており、制御手段１０は、不快指数が７５を超える室がある場合、不快と判定された室１，２，３を、居住者に報知し、居住者が取るべき行動を報知手段２０によりアドバイスする。例えば、制御手段１０は、室内空調システム１００の外部空気取込手段５、空気引込手段６およびエアコン８が停止しているときは、外部空気取込手段５、空気引込手段６およびエアコン８を運転するよう報知手段２０により居住者にアドバイスをする。室内空調システム１００が停止している場合でも、待機状態として、温度センサ１２、湿度センサ１７、人感センサ１８等の各種センサと報知手段２０は駆動している。ここで、外部空気取込手段５と空気引込手段６とエアコン８とは、室１，２，３の室内環境を調整する室内環境調整手段２１に相当する。また、室内空調システム１００の運転が開始されると、室内空調システム１００の外部空気取込手段５と空気引込手段６と空気排気手段７とエアコン８とは、各種センサ１１，１２，１７，１８により検知された情報に従って制御手段１０により制御される。
【００２１】
また、湿度が７５％を越えているときは、発汗による体温調整ができずに、温度が３０度以下でも熱中症になる可能性が高くなる。そのため、制御手段１０は、熱中症防止のため、エアコン８の除湿機能を使用し、湿度を６０％にするよう報知手段２０により居住者にアドバイスをする。例えば、上記式によると、湿度７５％、気温２７度のとき、不快指数は、７５．６７となり、制御手段１０は、この条件の室を不快であると判断する。また、制御手段１０は、熱中症防止のため、室内空調システム１００の運転を開始するよう報知手段２０により居住者にアドバイスをする。この場合、室内空調システム１００は、湿度が７５％を越えているときに、エアコン８の除湿機能を使用して湿度を６０％にするように予め設定されていてもよい。
【００２２】
また、前記室内環境調整手段２１は、高温多湿の室１，２，３の環境調整を行うように設定されている。ここで、高温多湿の目安としては、不快指数が７８を超える、温度３０度以上、かつ、湿度６０％以上のときである。制御手段１０は、高温多湿の室１，２，３の環境調整を行い、例えば、不快指数が７５以下になるように、前記室内環境調整手段２１を制御する。
【００２３】
また、前記室内環境調整手段２１は、居住者がいる室の環境調整を行うように設定されている。制御手段１０は、各室１，２，３のどの室に居住者がいるかを人感センサ１８により監視し、人がいると判断した室について前記室内環境調整手段２１による空調制御を行う。
【００２４】
生体情報検知手段３０は、室内空調システム１００の通信手段１９に居住者の体温等のバイタル情報を所定時間毎に無線送信する。例えば、制御手段１０は、受信するバイタル情報に含まれる体温が３８．１度である場合、記憶手段２２に予め記憶された体温（平熱：３７度）と比較をする。制御手段１０は、平熱より、１度以上高い場合は、熱中症になるおそれがあると判断し、居住者にその旨を報知手段２０により報知させる。アドバイス手段として、制御手段１０は、室内空調システムの室内環境調整手段２１が停止しているときは、室内空調システム１００を運転するよう報知手段２０により居住者にアドバイスをする。
【００２５】
また、各室１,２,３には、室１,２,３の温度を検出する室内温度検出手段１１と、室１,２,３の天井付近の温度を検出する上方温度検出手段１２と、室１，２，３の湿度を検知する湿度センサ１７と、居住者の有無を検知する人感センサ１８とが設けられており、これら室内温度検出手段１１と上方温度検出手段１２と湿度センサ１７と人感センサ１８とは前記制御手段１０に接続されている。
【００２６】
また、建物の１階の床下には、外気温を検出する外気温度検出手段１３が設けられており、この外気温度検出手段１３は制御手段１０に接続されている。
なお、図２において、制御手段１０に、室１および室２の外部空気取込手段５、空気引込手段６、エアコン８等を接続しているが、実際には、室３の外部空気取込手段５、空気引込手段６、エアコン８等も接続されている。
【００２７】
室１には、生体情報検知手段３０から居住者のバイタル情報を受信する通信手段１９と、居住者が取るべき行動をアドバイスとして報知するための報知手段２０が取り付けられている。通信手段１９は、インターネット４０と有線または無線にて接続されている。室内空調システム１００は、外部から気温および湿度等に係る情報を取得することができる。具体的には、制御手段１０が、通信手段１９を用いて、インターネット４０を介して、外部から建物存在する地域の気温および湿度に係る情報を入手して、これらの情報を報知手段２０に報知させることができる。例えば、外気温が３５度以上の場合は、制御手段１０は、「外出時には、運動を控えて下さい。屋内にいる場合でも、エアコンを使用して、水分補給をしてください。」と報知手段２０に報知させる。
【００２８】
前記外部空気取込手段５は、例えば、各室１,２,３の外部に面する外壁に設けられた送風換気窓枠５によって構成されている。この送風換気窓枠５は、図３に示すように、矩形の窓枠を構成する横枠または縦枠もしくは双方に、外部の空気を取り込んで、室内に送風する送風孔５ａが所定間隔で複数設けられるとともに、窓枠内部にこの送風孔５ａを開閉する図示しない開閉部材が設けられてなるものであり、この開閉部材が前記制御手段１０によって開閉されるようになっている。また、窓枠内部に、外部の空気を送風孔５ａに吸い込んで室内に吹き出すための、ファンを設けてもよく、この場合、当該ファンの回転・停止が前記開閉部材とともに制御手段１０によって制御されるようになっている。
また、外部空気取込手段５としては、前記送風換気窓枠５に代えて、自動的に開閉可能な地窓を設けてもよい。この場合、この地窓の開閉が制御手段１０によって制御されるようになっている。
【００２９】
前記空気引込手段６は、図１に示すように、室１,２,３のそれぞれの天井裏１ａ,２ａ,３ａに設けられたファン６ａと、このファン６ａに対向して天井板に形成された開口部６ｂとから構成されている。そして、このファン６ａが前記制御手段１０によって回転・停止されるようになっている。なお、前記開口部６ｂには図示しないルーバが設けられており、室内から天井裏のファン６ａが見えないようになっている。
また、室２は１階に設けられているので、空気引込手段６によって室内２から天井裏２ａに引き込まれた空気は、室１と室２とを仕切る壁に設けられた吹出口１４から吹き出されて、室１内を上昇し、室１の空気引込手段６によって天井裏１ａに引き込まれるようになっている。室１は２階の天井まで吹き抜ける高天井室であり、その天井裏１ａは２階の室３の天井裏３ａと連通している。
【００３０】
前記空気排気手段７は、住宅の屋根棟部に設けられるとともに、内部が前記天井裏１ａ、３ａと連通している越屋根部１５内に設けられた大型のファン７ａと、越屋根部１５の壁に設けられた開口部７ｂとから構成されており、この開口部７ｂには雨の侵入を防止する図示しないガラリが設けられている。そして、大型のファン７ａの回転・停止が制御手段１０によって制御されるようになっている。なお、大型のファン７ａは前記ファン６ａより低速度で回転するが、ファン７ａが大型のため排気風量は大風量となっている。
また、空気排気手段７を運転し、かつ、空気引込手段６を停止した場合、室の空気は、空気排気手段７によって天井裏の空気が排気されるので、これに伴って、天井板に設けられた前記開口部６ｂから天井裏に自然と流入する。
【００３１】
前記室内温度検出手段１１は、例えば温度センサ１１によって構成されており、この温度センサ１１は室内空調システム１００用のリモコン１６に内蔵されている。
リモコン１６は制御手段１０に信号線によって接続され、これに内蔵されている温度センサ１１も信号線によって制御手段１０に接続されている。
また、リモコン１６は室内の壁面等に固定されている。例えば住宅の室１,２,３の壁に、照明スイッチ等とほぼ同じ高さ（床面から１ｍ〜１．５ｍ程度の高さ）に固定されている。このリモコン１６に温度センサ１１が内蔵されているので、この温度センサ１１によって室１,２,３の下部の温度を検出できるようになっている。
【００３２】
上方温度検出手段１２は、例えば温度センサ１２によって構成されており、この温度センサ１２は、図１に示すように、室１,２,３のそれぞれ天井板の下面に固定されている。したがって、この温度センサ１２によって天井付近の温度を検出することができるようになっている。また、温度センサ１２は、図２に示すように、信号線によって制御手段１０に接続されている。
外気温度検出手段１３は、例えば温度センサ１３によって構成されており、この温度センサ１３は、図１に示すように、１階の床下でかつ風通しのよい場所（換気台輪近く）に設置されている。したがって、この温度センサ１３によって外気温度を検出することができるようになっている。なお、温度センサ１３は、メンテナンス等を容易に行える床下収納庫付近に設置するのが望ましい。また、温度センサ１３は信号線によって制御手段１０に接続されている。
【００３３】
前記リモコン１６は、本実施の形態の住宅内の室内空調システム１００のON・OFF、システム設定温度の設定・変更の際に使用されるもので、図４に示すように、室内空調システム１００のON・OFFを行う運転／停止ボタン１６ａ、システム設定温度の設定・変更を行う温度ボタン１６ｂ、システム設定温度等を表示する液晶画面１６ｃ等を備えている。
本実施の形態の住宅内の室内空調システム１００を運転する場合、運転／停止ボタン１６ａを押し、運転／停止ボタン１６ａのランプ１６ｄが点灯するようにし、液晶画面１６ｃに現在の設定温度が表示され、外部空気取込手段５、空気引込手段６、空気排気手段７、エアコン８の運転が温度状況に合わせて自動的に制御されるようになっている。
住宅内の室内空調システム１００を停止させる場合、運転／停止ボタン１６ａを押し、運転／停止ボタン１６ａのランプ１６ｄが消灯するようにし、これによって、液晶画面１６ｃの表示が消え、外部空気取込手段５、空気引込手段６、空気排気手段７、エアコン８を停止するようになっている。
なお、リモコン１６は、室１,２,３にそれぞれ設置されているので、室１,２,３のいずれからも室内空調システム１００のON・OFFを行えるようになっている。
【００３４】
なお、前記リモコン１６の代わりに、温度センサを備えた携帯型のコンピュータを使用して、室内環境制御システムのON・OFFや、システム設定温度の設定・変更を行うように
してもよい。
また、前記制御手段１０による制御中において、外部空気取込手段５、空気引込手段６、空気排気手段７、エアコン８は、それぞれの専用リモコンによってそれぞれ手動操作することができるが、すぐに制御状態に戻るようになっている。したがって、外部空気取込手段５、空気引込手段６、空気排気手段７、エアコン８をそれぞれ手動で操作したい場合、前記リモコン１６の運転／停止ボタン１６ａによって本システムを停止させてから、それぞれの専用リモコンによって手動操作する。
【００３５】
次に、夏季において、本実施の形態の住宅内の室内空調システム１００によって室１の空調を個別に制御する方法の一例について図５に示す表を参照しながら説明する。
初期状態では、外部空気取込手段５、空気引込手段６、空気排気手段７、エアコン８は停止した状態となっている。
まず、報知手段２０により室内空調システム１００を運転するよう報知された居住者の操作により、室１のリモコン１６の運転／停止ボタン１６ａによって、室内空調システム１００をONとする。これによって、本空調システム１００が運転開始されるとともに、エアコン８がONとなる。これは、制御手段１０から制御ユニット８ａに信号が送信され、この制御ユニット８ａからエアコン８にON信号が送信されることによって行われる。
また、システムの設定温度Ｔsetをリモコン１６の温度ボタン１６ｂによって２８℃に設定するとともに、エアコン８の設定温度を、設定温度より低い２７℃に設定する。
【００３６】
次に、夏季における室１の下部の温度と天井付近の温度をそれぞれ温度センサ１１，１２が検出し、これら検出値の差によって温度差（上下温度差）を求める。これは前記制御手段１０に、温度センサ１１，１２による検出値が入力されるので、この制御手段１０によってこれら検出値の差を求めることによって行われる。
まず、本実施の形態では、
（１）温度センサ１２によって検出された天井付近の温度が、温度センサ１１によって検出された室内温度より所定温度ｄｔ（例えば３℃）以上高い場合、つまり、天井付近に高温の空気が溜まっている場合に以下のような制御を行う。
【００３７】
（１ａ）室内温度≧Ｔset（２８℃）のとき、制御手段１０が外部空気取込手段５、空気引込手段６、空気排気手段７を運転し、前記エアコン８を停止する。
外部空気取込手段５が送風換気窓枠５である場合、送風孔５ａを開けるとともに、ファンが内蔵されている場合、ファンも作動させる。
また、外部空気取込手段５が自動的に開閉可能な地窓である場合、当該地窓を開ける。
このような制御は、外気温＜Ｔset、外気温≧Ｔsetの双方の場合で行われる。
外気温＜Ｔsetの場合、図５中、状態番号が「７」で「強制空冷」となる。つまり、外気温が設定温度より低いので、天井付近の高温の空気を空気引込手段６によって天井裏１ａに引き込み、さらに、空気排気手段７によって外部に排気するとともに、外部空気取込手段５によって涼しい外気を室１に取り入れる。
ただし、制御手段１０は、湿度が７５％を超えている場合、強制空冷後、外部空気取込手段５、空気引込手段６、空気排気手段７を停止し、エアコン８を運転し、エアコン８の除湿機能を使用して、湿度が６０％に近づくようにエアコン８を制御する。
外気温≧Ｔsetの場合、図５中、状態番号が「１１」で「強制排熱」となる。つまり、外気温が設定温度以上であるが、天井付近の高温の空気を空気引込手段６によって天井裏１ａに引き込み、さらに、空気排気手段７によって外部に強制的に排気する。一方、外部空気取込手段５によって設定温度以上の外気が室１に取り入れられるが、この外気によって、室内が撹拌されるので、高温の空気の淀みを防止できる。
ただし、制御手段１０は、湿度が７５％を超えている場合、強制排熱後、外部空気取込手段５、空気引込手段６、空気排気手段７を停止し、エアコン８を運転し、エアコン８の除湿機能を使用して、湿度が６０％に近づくようにエアコン８を制御する。
【００３８】
（１ｂ）室内温度＜Ｔset かつ 外気温＜Ｔsetのとき、制御手段１０が空気排気手段７と外部空気取込手段５を運転し、空気引込手段６とエアコン８を停止する。
このような制御は、図５中、状態番号が「５」で「自然空冷」となる。つまり、外気温が設定温度より低く、かつ、室内温度が設定温度より低いので、空気排気手段７と外部空気取込手段５を運転することによって、涼しい外気を外部空気取込手段５によって取り入れる。また、天井付近の高温の空気は開口部６ｂから天井裏３ａに流入したうえで、空気排気手段７によって外部に排気される。
ただし、制御手段１０は、例えば、室内温度が２７度以上で湿度が７５％を超えている場合、自然空冷後、空気排気手段７と外部空気取込手段５を停止し、エアコン８を運転し、エアコン８の除湿機能を使用して、湿度が６０％に近づくようにエアコン８を制御する。
（１ｃ）室内温度＜Ｔset かつ 外気温≧Ｔsetのとき、制御手段１０が外部空気取込手段５、空気引込手段６、空気排気手段７、エアコン８を停止する。ただし、制御手段１０は、例えば、室内温度が２７度以上で湿度が７５％を超えている場合、エアコン８を停止せずに運転し、エアコン８の除湿機能を使用して、湿度が６０％に近づくようにエアコン８を制御する。
このような制御は、図５中、状態番号が「９」で「保冷」となる。つまり、室内温度が設定温度より低い一方、外気温が設定温度以上であるので、空気排気手段７と外部空気取込手段５を停止し、外気の侵入を防止して、保冷を行う。
（１ｄ）室内温度≧Ｔsetかつ外気温＜Ｔminのとき、制御手段１０が空気排気手段７と外部空気取込手段５を運転し、空気引込手段６とエアコン８を停止する。
このような制御は、図５中、状態番号が「３」で「自然空冷」となる。つまり、室内温度が設定温度以上である一方、外気温が下限温度（例えば２０℃）より低いので、空気排気手段７と外部空気取込手段５を運転することによって、涼しい外気を外部空気取込手段５によって穏やかに取り入れる。
ただし、制御手段１０は、湿度が７５％を超えている場合、自然空冷後、外部空気取込手段５を停止し、エアコン８を運転し、エアコン８の除湿機能を使用して、湿度が６０％に近づくようにエアコン８を制御する。
ここで、Ｔminは、寒さ防止のための下限温度であり、デフォルト値は２０℃に設定される。また、後述するＴmaxは、高温防止のための上限温度であり、デフォルト値は３０℃に設定される。また、Ｔmin＜Ｔset＜Ｔmaxとする。
【００３９】
また、本実施の形態では、
（２）温度センサ１２によって検出された天井付近の温度が、温度センサ１１によって検出された室内温度より所定温度ｄｔ（例えば３℃）高い温度未満の場合において、つまり、トップライト付近に高温の空気があまり溜まっていない場合に以下のような制御を行う。
【００４０】
（２ａ）室内温度≧Ｔsetのとき、制御手段１０が空気排気手段７、外部空気取込手段５、空気引込手段６を運転し、エアコン８を停止する。  このような制御は、外気温＜Ｔset、外気温≧Ｔsetの双方の場合で行われる。
外気温＜Ｔsetの場合、図５中、状態番号が「６」で「強制空冷」となる。つまり、外気温が設定温度より低いので、天井付近の高温の空気を空気引込手段６によって天井裏１ａに引き込み、さらに、空気排気手段７によって外部に排気するとともに、外部空気取込手段５によって涼しい外気を室１に取り入れる。
ただし、制御手段１０は、湿度が７５％を超えている場合、強制空冷後、外部空気取込手段５、空気引込手段６、空気排気手段７を停止し、エアコン８を運転し、エアコン８の除湿機能を使用して、湿度が６０％に近づくようにエアコン８を制御する。
外気温≧Ｔsetの場合、図５中、状態番号が「１０」で「強制排熱」となる。つまり、
外気温が設定温度以上であるが、天井付近の高温の空気を空気引込手段６によって天井裏１ａに引き込み、さらに、空気排気手段７によって外部に排気する。一方、外部空気取込手段５によって設定温度以上の外気が取り入れられるが、この外気によって、室内が撹拌されるので、高温の空気の淀みを防止できる。
（２ｂ）室内温度＜Ｔsetのとき、制御手段１０が空気排気手段７、外部空気取込手段５、空気引込手段６、エアコン８を停止する。ただし、制御手段１０は、例えば、室内温度が２７度以上で湿度が７５％を超えている場合、エアコン８を停止せずに運転し、エアコン８の除湿機能を使用して、湿度が６０％に近づくようにエアコン８を制御する。
このような制御は、外気温＜Ｔset、外気温≧Ｔsetの双方の場合で行われる。
外気温＜Ｔsetの場合、図５中、状態番号が「４」で「保冷」となる。つまり、室内温度および外気温の双方が設定温度より低いので、空気排気手段７、外部空気取込手段５、空気引込手段６を停止して、外気の侵入を防止して、保冷を行う。
外気温≧Ｔsetの場合、図５中、状態番号が「８」で「保冷」となる。つまり、室内温度が設定温度より低い一方、外気温が設定温度以上であるので、空気排気手段７、外部空気取込手段５を閉鎖し、外気の侵入を防止して、保冷を行う。
（２ｃ）室内温度≧Ｔsetかつ外気温＜Ｔminのとき、制御手段１０が空気排気手段７、外部空気取込手段５、空気引込手段６を運転し、エアコン８を停止する。
このような制御は、図５中、状態番号が「２」で「強制空冷」となる。つまり、外気温が下限温度より低いので、天井付近の高温の空気を空気引込手段６によって天井裏１ａに引き込み、さらに、空気排気手段７によって外部に排気するとともに、外部空気取込手段５によって涼しい外気を取り入れる。
ただし、制御手段１０は、湿度が７５％を超えている場合、強制空冷後、外部空気取込手段５、空気引込手段６、空気排気手段７を停止し、エアコン８を運転し、エアコン８の除湿機能を使用して、湿度が６０％に近づくようにエアコン８を制御する。
【００４１】
さらに、本実施の形態では、
（３）室内温度＜Ｔsetかつ外気温＜Ｔminのとき、制御手段１０が空気排気手段７、外部空気取込手段５、空気引込手段６、前記エアコン８を停止する。ただし、制御手段１０は、例えば、室内温度が２７度以上で湿度が７５％を超えている場合、エアコン８を停止せずに運転し、エアコン８の除湿機能を使用して、湿度が６０％に近づくようにエアコン８を制御する。
このような制御は、図６中、状態番号が「１」で「過冷却防止」となる。つまり、室内温度が設定温度より低く、外気温が下限温度より低いので、空気排気手段７、外部空気取込手段５、空気引込手段６を停止し、外気の侵入を防止して、これ室の過冷却を防止する。
【００４２】
加えて、本実施の形態では、
（４）室内温度≧Ｔmaxかつ外気温≧Ｔsetのとき、制御手段１０が空気排気手段７、外部空気取込手段５、空気引込手段６を停止し、前記エアコン８を運転する。ここで、制御手段１０は、湿度が７５％を超えている場合、エアコン８の除湿機能を使用して、湿度が６０％に近づくようにエアコン８を制御する。
このような制御は、図５中、状態番号が「１２」で「撹拌冷房」となる。つまり、室内温度が上限温度以上でかつ外気が設定温度以上であるので、制御手段１０が空気排気手段７、外部空気取込手段５を停止、高温の外気の侵入を防止しつつ、エアコン８を下向き送風運転して、室１の空気を撹拌しながら冷房する。
【００４３】
このような空調制御は、室２,３にも同様にして行われる。室２の空調制御の場合、空気引込手段６によって天井裏２ａに引き込んだ空気は、吹出口１４から吹き出されて、室１内を上昇し、室１の空気引込手段６によって天井裏１ａに引き込まれる。したがって、制御手段１０によって、室２の空気引込手段６を運転する場合、これに同期して室１の空気引込手段６を運転する。
【００４４】
本実施の形態によれば、前記快適判断手段１０によって不快と判定された室を、居住者に報知し、居住者が取るべき行動をアドバイスするアドバイス手段１０，２０を備えるので、居住者が取るべき行動を居住者にアドバイスをできる一方で、前記快適判定手段１０によって不快と判定された室１，２，３がある場合、不快と判定された室１，２，３の環境の室内環境調整手段２１を制御する制御手段１０を備えるので、建物内部の不快な室１，２，３の環境を調整することができる。
したがって、例えば、不快と判断された室１，２，３があれば、居住者に対して、熱中症の危険性を報知でき、熱中症にならないために取るべき行動をアドバイスできるので、居住者が熱中症になることを防止できる。
さらに、室内環境調整手段２１によって不快と判定された室１，２，３の環境を各室１，２，３毎に調整できるので、居住者が熱中症にならないようにするのはもとより、より快適な環境を形成することができる。
【００４５】
また、居住者の体温を検知する生体情報検知手段３０をさらに備えるので、居住者の体温を検知することで、より正確なアドバイスを居住者に行うことができる。
【００４６】
また、前記室内環境調整手段２１は、高温多湿の室１，２，３の環境調整を行うように設定されているので、高温多湿な室１，２，３の環境調整を行うことで、より確実に熱中症の発生を抑制できる。
【００４７】
また、前記室内環境調整手段２１は、居住者がいる室１，２，３の環境調整を行うように設定されているので、居住者がいる室１，２，３を狙って環境調整を行うことで、より確実に熱中症の発生を抑制できる。
【００４８】
また、温度および湿度を断続的に取得するので、刻々と変化する建物内部の各室１，２，３の環境を確実に把握でき、より確実に熱中症の発生を抑制できる。
【００４９】
また、設定温度、室内温度、外気温に基づいて、制御手段１０が外部空気取込手段５、空気引込手段６、空気排気手段７、エアコン８の運転・停止を室１,２,３ごとに細かく１４段階で制御できる。
また、外部空気取込手段５、空気引込手段６、空気排気手段７、エアコン８の運転・停止を細かく制御するので、省エネとなる。
さらに、室内温度が設定温度以上で、かつ外気温が下限値未満で涼しい場合に、空気排気手段７と外部空気取込手段５を運転し、空気引込手段６とエアコン８を停止するので、室内が自然空冷となり、空気引込手段６とエアコン８が消費する電力を削減でき、省エネとなる。
加えて、室内温度が設定温度以上で、かつ、外気温が下限値未満で涼しい場合に、空気排気手段７、外部空気取込手段５、空気引込手段６を運転し、エアコン８を停止するので、室内が強制空冷となり、エアコンなしでも、室内温度を速やかに設定温度またはそれ以下に近付けることができる。
【００５０】
また、室内温度が設定温度未満で、かつ外気温が下限値未満で涼しい場合に、外部空気取込手段５、空気引込手段６、空気排気手段７、エアコン８を停止するので、室が過冷却されるのを防止できるともに、外部空気取込手段５、空気引込手段６、空気排気手段７、エアコン８が消費する電力を削減でき、省エネとなる。
また、室内温度が上限温度以上で、かつ外気温が設定温度以上のときに、空気排気手段７、外部空気取込手段５、空気引込手段６を停止して室内を密閉し、エアコン８を運転するので、室内を効果的に冷房できる。
さらに、温度センサ（室内温度検出手段）１１がリモコン１６に内蔵されているので、温度センサ専用の設置スペースが必要なく、しかも、温度センサ１１をリモコン１６の筺体によって保護できる。
また、外気温度検出手段１３が１階の床下でかつ風通しのよい場所に設置されているので、正確な外気温度を検出できる。
【００５１】
＜変形例＞
上記実施例では、不快指数について説明したが、これに限られず、熱中症指数等を用いてもよい。
また、上記室内環境システムは、寒さ（ヒートショック）にも適用可能である。例えば、お風呂場と浴衣室の温度差を、それぞれの場所に温度センサを設けて検出し、お風呂場と浴衣室の温度差が所定温度以上の場合は、制御手段１０は、居住者に「お風呂場と浴衣室の温度差がｘ度以上あり、ヒートショック現象が起きる可能性があります。お風呂場と浴衣室の温度差をなくし、適温にしてから入浴してください。」と報知手段２０によりアドバイスする。
なお、変形例においては、上記実施の形態と同じ部材には同一の符号を付し、説明を省略する。
【符号の説明】
【００５２】
１,２,３  室
１ａ,２ａ,３ａ  天井裏
５  外部空気取込手段
６  空気引込手段
７  空気排気手段
８  エアコン
１０  制御手段
１１  室内温度検出手段
１２  上方温度検出手段
１３  外気温度検出手段
１７  湿度センサ
１８  人感センサ
１９  通信手段
２０  報知手段
３０  生体情報検知手段
４０  インターネット
１００  室内空調システム
２００  室内環境調整システム
【図１】
0005749612.tif 000002
【図２】
0005749612.tif 000003
【図３】
0005749612.tif 000004
【図４】
0005749612.tif 000005
【図５】
0005749612.tif 000006